(57)【特許請求の範囲】
【請求項１】
樹脂製のタンク本体の前壁上部が、前記タンク本体の前方側に位置する原動部の側へ、前記タンク本体の前壁の下部よりも張り出して位置するように設けられているとともに、
前記前壁上部は後側ほど高くなる傾斜面に形成され、その傾斜面に透明樹脂材からなる透視窓が装備され、前記透視窓は、前記傾斜面から前方に膨出した形状に形成され、
前記タンク本体の上壁の前部に前方側ほど低くなる前下がり傾斜面が形成され、前記上壁の前下がり傾斜面に開閉可能な上蓋が装備され、
前記上蓋が、前記原動部に設けた運転座席に対して左右方向で重複する位置に配設されているとともに、前記透視窓が左右方向で運転座席の左右幅内に配設され、かつ前記運転座席は、その上端位置が前記透視窓の下端位置近くに位置するように配設され、
前記タンク本体の前壁の下側部分を、側面視で、前記タンク本体の前側となる箇所に配備され且つキャビンを備えずに外部に露出された前記運転座席が上部に配備される前記原動部の側壁の後縁に沿って後側に凹ませてあるコンバインの穀粒回収タンク構造。
【請求項２】
前記タンク本体の上部では、前記原動部の横側壁部の最後端位置よりも前記透視窓が前方に位置するように、前記タンク本体の前壁上部が前方へ膨出されている請求項１記載のコンバインの穀粒回収タンク構造。
【請求項３】
前記原動部の横側壁部の上端が、前記運転座席の上端及び前記透視窓の下端よりも低く、かつ前記横側壁部の上端から前方側の部位が前下がり形状に形成されている請求項１又は２記載のコンバインの穀粒回収タンク構造。
【請求項４】
前記透視窓は、機体前方側の斜め上向きに膨出する複曲面状に形成されている請求項１〜３のいずれか一項記載のコンバインの穀粒回収タンク構造。
【発明の詳細な説明】
【技術分野】
【０００１】
本発明は、穀粒タンクを用いて脱穀装置から搬出されてきた穀粒を穀粒タンクに貯留回収するよう構成したコンバインの穀粒回収装置に関する。
【背景技術】
【０００２】
上記穀粒回収装置としては、例えば、特許文献１に開示されているように、脱穀装置から搬出されてきた穀粒を貯留する穀粒回収タンクを、貯留した穀粒をアンローダの下部へ搬出する底スクリューが横架支承された下部ケースと、これに脱着自在に連結される樹脂製のタンク本体とで構成したものがある。
【先行技術文献】
【特許文献】
【０００３】
【特許文献１】特開２００３−９２９１８号公報
【発明の概要】
【発明が解決しようとする課題】
【０００４】
【０００５】
【０００６】
本発明は、タンク本体の内部の視認性を高めながらタンク前壁の強度を確保できるようにすることを目的としている。
【課題を解決するための手段】
【０００７】
第１の発明は、樹脂製のタンク本体の前壁上部が、前記タンク本体の前方側に位置する原動部の側へ、前記タンク本体の前壁の下部よりも張り出して位置するように設けられているとともに、前記前壁上部は後側ほど高くなる傾斜面に形成され、その傾斜面に透明樹脂材からなる透視窓が装備され、前記透視窓は、前記傾斜面から前方に膨出した形状に形成され、前記タンク本体の上壁の前部に前方側ほど低くなる前下がり傾斜面が形成され、前記上壁の前下がり傾斜面に開閉可能な上蓋が装備され、
前記上蓋が、前記原動部に設けた運転座席に対して左右方向で重複する位置に配設されているとともに、前記透視窓が左右方向で運転座席の左右幅内に配設され、かつ前記運転座席は、その上端位置が前記透視窓の下端位置近くに位置するように配設され、
前記タンク本体の前壁の下側部分を、側面視で、前記タンク本体の前側となる箇所に配備され且つキャビンを備えずに外部に露出された前記運転座席が上部に配備される前記原動部の側壁の後縁に沿って後側に凹ませてあることを特徴とする。
【０００８】
【０００９】
【００１０】
【００１１】
第２の発明は、上記第１の発明において、前記タンク本体の上部では、前記原動部の横側壁部の最後端位置よりも前記透視窓が前方に位置するように、前記タンク本体の前壁上部が前方へ膨出されているものである。
【００１２】
【００１３】
第３の発明は、上記第１又は２の発明において、前記原動部の横側壁部の上端が、前記運転座席の上端及び前記透視窓の下端よりも低く、かつ前記横側壁部の上端から前方側の部位が前下がり形状に形成されているものである。
【００１４】
【００１５】
【００１６】
【００１７】
第４の発明は、上記第１〜３のいずれかの発明において、前記透視窓は、機体前方側の斜め上向きに膨出する複曲面状に形成されているものである。
【００１８】
【図面の簡単な説明】
【００１９】
【図１】コンバインの全体側面図
【図２】コンバインの全体平面図
【図３】穀粒回収装置の側面図
【図４】穀粒回収装置の正面図
【図５】タンク本体を傾動させた状態の穀粒回収装置を示す正面図
【図６】タンク本体を回倒接地させた状態の穀粒回収装置を示す正面図
【図７】タンク本体を分離した状態の穀粒回収装置を示す正面図
【図８】穀粒タンクの下部を示す縦断正面図
【図９】穀粒タンクにおける下部ケースを示す平面図
【図１０】底スクリュー駆動構造の一部を切欠いた正面図
【図１１】底スクリュー駆動構造の一部を示す横断平面図
【発明を実施するための形態】
【００２０】
図１および図２に、本発明に係る穀粒回収装置を備えた自脱型のコンバインの側面および平面がそれぞれ示されている。このコンバインは、左右一対のクローラ走行装置１を備えた走行機体２の前部に、２条刈り仕様の刈取り部３が昇降自在に連結され、前記走行機体２の右側前部に図示されていないエンジンを内装した原動部４および運転部５が配備されるとともに、走行機体２の左側に脱穀装置６が搭載され、かつ、脱穀装置６の右側で運転部５の後側となる箇所にタンク貯留式の穀粒回収装置７が配備された構造となっている。刈取り部３で刈取った穀稈を脱穀装置６に供給して脱穀処理し、脱穀装置６で選別回収した穀粒をスクリュー式の揚穀装置８によって揚送して前記穀粒回収装置７に備えられた穀粒回収タンク９に上部から投入するとともに、脱穀装置６から搬出された排ワラを排ワラカッタ１０で細断して圃場に放出するように構成されている。原動部４の右横側部には横側壁部４Ａが備えられており、運転部５には運転座席５Ａが備えられている。
【００２１】
前記穀粒回収装置７における穀粒回収タンク９は、上向きに開放された板金構造の下部ケース１１と、これに脱着自在に連結される樹脂製のタンク本体１２とで構成されており、この穀粒回収タンク９の後方に、貯留した穀粒を揚送した後、横搬送して機外に搬出するスクリュー式のアンローダ１３が配備されている。
【００２２】
前記下部ケース１１は、略Ｖ形に形成された底板１１ｂの前後に前板１１ｆと後板１１ｒとを連結して構成されており、その内部には、貯留した穀粒を後方に搬送して前記アンローダ１３の下端部に供給搬送する底スクリュー１４が前後水平に支承されるとともに、前板１１ｆと後板１１ｒに亘って支架した支軸１５に、底スクリュー１４の上方に沿う山形断面形状の流下案内板１６が取り付けられている。また、底板１１ｂの機体外側方には、貯留した穀粒を直接に取り出して袋詰めする場合などに用いるスライドシャッタ付きの取出し口１７が備えられている。
【００２３】
前記タンク本体１２は、その左右側壁の下部が前記下部ケース１１における底板１１ｂに直線的に連なるように傾斜されるとともに、タンク本体１２の下端開口部に下部ケース１１の開口端に内嵌する嵌合部１２ａが形成されている。また、タンク本体１２の前壁上部における傾斜面１２Ａには、透明樹脂材からなる透視窓１８が付設されており、窓面積を大きくして内部の視認性を高めながらタンク前壁の強度を確保するために、透視窓１８が外方に膨出した形状に成形されている。また、タンク本体１２における上壁の前寄り箇所に、前方側ほど低くなる前下がり傾斜面１２Ｂが形成され、その前下がり傾斜面１２Ｂに、前端側を持上げ揺動開放可能な上蓋１９が装着されるとともに、バックル式の掛け金具２０が装備されている。この掛け金具２０は、前記揚穀装置８の上端に設けられた吐出ケース８ａとタンク本体１２の接続口２１とを穀粒の漏れ出しなく接続しておくためのものであり、吐出ケース８ａに備えた係止金具２２に引っ掛けられる。
【００２４】
また、タンク本体１２における右側壁の下部にはフック形状に形成された前後一対の金属製の係止部２３が連結されるとともに、下部ケース１１の右側上部には、前記係止部２３を係合支持する係止棒２４が前後方向に沿って架設固定されており、係止部２３と係止棒と２４の係合点を支点にしてタンク本体１２を横外方に回倒することが可能となっている。
【００２５】
ここで、タンク本体１２の適所には、タンク本体１２を下部ケース１１に対して起伏および脱着する際に使用する取っ手が備えられている。つまり、タンク本体１２の横倒し方向である機体外側方の上部には横取っ手２５が付設されるとともに、タンク本体１２の機体内側方の上部と下部とには上部取っ手２６と下部取っ手２７がそれぞれ付設されている。
【００２６】
前記横取っ手２５は、主としてタンク本体１２を下部ケース１１に対して起伏させる際に使用するものであり、掛け金具２０を係止金具２２から外した上で、横取っ手２５を持って機体外方に引くと、タンク本体１２は係止部２３と係止棒と２４の係合点を支点にして横外方に回倒されることになり、必要に応じて上部取っ手２６に持ち替えてタンク本体１２を大きく倒し込むことができる。この場合、タンク本体１２が起立している連結状態では、係止部２３の開口が横向きとなっており、係止部２３が係止棒２４に引っ掛かることでタンク本体１２の上方移動が阻止されている。そして、タンク本体１２を大きく横倒しした状態では係止部２３の開口が下向きとなり、横倒れ姿勢のタンク本体１２の下部を持ち上げることで係止部２３を係止棒２４から離脱させて、タンク本体１２を下部ケース１１から取外すことができる。
【００２７】
上記のようにタンク本体１２を横倒しした状態では、上部取っ手２６と下部取っ手２７はタンク上方に露出することになり、下部取っ手２７を持ってタンク本体１２の下部を持ち上げて係止部２３を係止棒２４から離脱させた後、二人の作業者で上部取っ手２６と下部取っ手２７を持って運び出すことができる。
【００２８】
ここで、図３に示すように、上部取っ手２６と下部取っ手２７とはタンク本体１２に対して略対角状に配備されており、両取っ手２６，２７を持って持ち上げられた横倒し姿勢のタンク本体１２は傾くことなくバランスよく運ぶことができる。
【００２９】
また、下部取っ手２７は、タンク本体１２の下部に形成された機体内側の穀粒流下案内用の傾斜壁部１２ｂに配備されており、タンク本体１２を下部ケース１１に連結起立させた状態において、下部取っ手２７は前記傾斜壁部１２ｂの下方空間に隠されて位置し、脱穀装置６や近傍の構造物に干渉することがない。
【００３０】
前記アンローダ１３は、底スクリュー１４の後端に連通接続されたスクリュー式の縦搬送部１３Ａと、この縦搬送部１３Ａの上端に起伏揺動可能に連通接続されたスクリュー式の横搬送部１３Ｂとから構成されており、このアンローダ１３が全体的に縦搬送部のスクリュー軸心である縦軸心Ｐを中心にして所定角度範囲内で旋回可能となっている。なお、アンローダ１３の旋回駆動は図示されていない電動モータで、また、横搬送部１３Ｂの起伏揺動駆動はシリンダ２９によって夫々行われるようになっている。
【００３１】
図３，図９に示すように、前記下部ケース１１の後端には底スクリュー１４の後端を軸支する搬出ケース３１が連結されるとともに、機体フレーム３０上に前記縦軸心Ｐと同心に立設した支点軸３２に前記搬出ケース３１の下端が回動可能に外嵌されて、下部ケース１１が縦軸心Ｐ周りに旋回可能に支持されている。また、下部ケース１１の前板１１ｆには底スクリュー１４の前端部を軸支した入力ケース３３が取り付けられるとともに、この前板１１ｆの下端部が機体フレーム３０の上面に載置されてボルト３４で連結されており、ボルト３４を取外すことで下部ケース１１の旋回が可能となる。
【００３２】
図１０に示すように、前記入力ケース３３には、底スクリュー１４の前端に動力伝達する一対のベベルギヤ３５，３６が装備されるとともに、その入力用ベベルギヤ３５に、機体側に配備された横向き片持ち状の伝動軸３７の先端が挿入されている。前記伝動軸３７は、原動部４にテンションクラッチ付きのベルト伝動機構３８を介して連動されたプーリ３９に軸心方向にスライド可能に挿通支持されるとともに、バネ４０によって外端側にスライド付勢された六角軸として構成されている。従って、下部ケース１１が横外方に旋回揺動されると、入力ケース３３が自動的に伝動軸３７から外れ、また、下部ケース１１が所定の穀粒回収位置に旋回復帰されると、伝動軸３７の先端部が自動的に入力用ベベルギヤ３６の中心六角孔に挿入される。なお、下部ケース１１が所定の穀粒回収位置に旋回復帰された際に、伝動軸３７と入力用ベベルギヤ３５との回転位相が合わないと、伝動軸３７はベベルギヤ３５の中心六角孔に挿入されることなくバネ４０に抗して後退変位され、ベルト伝動機構３８のテンションクラッチを入れて伝動軸３７を回転させると、回転位相が合ったところで伝動軸３７が付勢スライドしてベベルギヤ３６の中心六角孔に自動的に係合挿入されて動力伝達がなされるようになっている。
【００３３】
また、入力ケース３３の前側には出力用ベベルギヤ３６に一体連結した偏心カム４１がされるとともに、前記流下案内板１６を備えた支軸１５の前端に操作アーム４２が固着され、その下部に形成した長孔４２ａに前記偏心カム４１に係入されている。従って、出力用ベベルギヤ３６が一定方向に回転駆動されて底スクリュー１４が送り作動するのに連動して偏心カム４１が回転し、操作アーム４２を介して支軸１５が小角度で往復回動され、これによって流下案内板１６が往復揺動されて、流下案内板１６の左右端と下部ケース底板１１ｂとの間に形成された穀粒流下通路の間隔が繰返し変更され、ブリッジ現象に起因する詰まりの発生なく穀粒が円滑に流下して横送り搬出されるようになっている。
【００３４】
なお、上記構成の穀粒回収タンク９が正規の回収位置にある時には、タンク下部の横外側に化粧カバー４５が脱着自在に取付けられてタンク外観が整えられるようになっている。前記化粧カバー４５における内面上部の前後には一対の係止具４６が装着されるとともに、化粧カバー４５における内面下部の前後には突出長さの異なる一対のフック４７が装着され、前側のフック４７を下部ケース１１における前板１１ｆの側辺に形成したスリット４８に挿入係止するとともに、後側のフック４７を下部ケース１１における後板１１ｒに取付けたピン４９に上方から係止し、その係止部位を支点にして化粧カバー４５をタンク側に揺動させることで、前後の係止具４６が下部ケース１１に取付けられたループ状の係止金具５０に自動的に弾性係合されて、化粧カバー４５が装着固定されるようになっている。また、化粧カバー４５を取外す場合には、先ず、カバー外側の取っ手を操作して係止具４６を係止金具５０から外し、その後、化粧カバー４５を動かしてスリット４８およびピン４９からフック４７を外すことになる。
【００３５】
【００３６】
【００３７】
【符号の説明】
【００３８】
４              原動部
４Ａ            横側壁部
５Ａ            運転座席
９              穀粒回収タンク
１２            タンク本体
１２Ａ          傾斜面
１２Ｂ          前下がり傾斜面
１８            透視窓
１９            上蓋
【図１】
0005718784.tif 000002
【図２】
0005718784.tif 000003
【図３】
0005718784.tif 000004
【図４】
0005718784.tif 000005
【図５】
0005718784.tif 000006
【図６】
0005718784.tif 000007
【図７】
0005718784.tif 000008
【図８】
0005718784.tif 000009
【図９】
0005718784.tif 000010
【図１０】
0005718784.tif 000011
【図１１】
0005718784.tif 000012